(57)【要約】【課題】紐の引き量調整を弱い力で行うことができ、かつ使用対象物に対する安定した取付状態を維持できるようする。【解決手段】紐用通し孔１２を有した雌部材１と、紐用通し孔２２を有して雌部材に摺動自在に差し込まれる雄部材２とを備え、紐５又は５Ａが雌・雄部材を付勢力に抗して相対的に接近した状態で各通し孔１２，２２に挿通され、かつ、雌・雄部材が付勢力により相対的に離間する方向に動くことで紐抜止め状態となる紐留め具４において、雌部材１及び雄部材２が前記通し孔と共に設けられて帯を通す貫通孔１３，２３をそれぞれ有しており、帯６を雌・雄部材の各貫通孔に順に挿通してその両端側を引っ張ると、又は、帯６を雌・雄部材の各貫通孔に順に挿通してその両端６ａ側を押さえた状態で各通し孔１２，２２を通った紐の引出部５ａを引っ張ると、雌・雄部材が付勢力に抗して接近し紐抜止め状態を解放することを特徴としている。【選択図】図２
2012070819.tif 000002
【特許請求の範囲】
【請求項１】
紐用通し孔を有した雌部材と、紐用通し孔を有して前記雌部材に摺動自在に差し込まれる雄部材とを備え、紐が前記雌・雄部材を付勢力に抗して相対的に接近した状態で前記各通し孔に挿通され、かつ、前記雌・雄部材が付勢力により相対的に離間する方向に動くことで紐抜止め状態となる紐留め具において、
前記雌部材及び前記雄部材が前記通し孔と共に設けられて帯を通す貫通孔をそれぞれ有しており、前記帯を雌・雄部材の前記各貫通孔に順に挿通してその両端側を引っ張ると、又は、前記帯を雌・雄部材の前記各貫通孔に順に挿通してその両端側を押さえた状態で前記各通し孔を通った前記紐の引出部を引っ張ると、前記雌・雄部材が付勢力に抗して接近し紐抜止め状態を解放することを特徴とする紐留め具。
【請求項２】
前記通し孔は、前記貫通孔同士を結ぶ線上からずれて設けられていることを特徴とする請求項１に記載の紐留め具。
【請求項３】
前記雌・雄部材は両者の間に介在される付勢部材、又は前記雌・雄部材の一方に設けられたばね部により離間する方向に付勢されるとともに、前記貫通孔は前記雌・雄部材のうち、前記付勢部材又は前記ばね部の付勢方向とほぼ同じ線上に設けられていることを特徴とする請求項１又は２に記載の紐留め具。
【請求項４】
前記貫通孔は、前記雌・雄部材が互いに重ねられない外側の端部に設けられていることを特徴とする請求項１から３の何れかに記載の紐留め具。
【請求項５】
前記帯は、前記各貫通孔を通って重ねられる両端部が衣服などの使用対象物に縫製固定されることを特徴とする請求項１から４の何れかに記載の紐留め具。
【発明の詳細な説明】
【技術分野】
【０００１】
本発明は、例えば、衣服や袋体の開口縁回り等に配置される紐の引出量や締め付け度合いを調整するために好適な紐留め具に関する。
【背景技術】
【０００２】
図６は特許文献１に開示された紐留め具を示している。この紐留め具において、構造特徴は、紐用通し孔１５を有した雌部材１と、紐用通し孔２４を有して雌部材１に摺動自在に差し込まれる雄部材２と、両部材１，２の間に介在された付勢部材３とを備え、紐Ｗが雌・雄部材を付勢力に抗して相対的に接近した状態で各通し孔１５，２４に挿通され、かつ、雌・雄部材が付勢力により相対的に離間する方向に動くことで紐抜止め状態となる。また、この構造では、雌部材１が帯Ｗ’を挿通する貫通孔（挿通穴）１６を有している。
【０００３】
以上の紐留め具は、帯Ｗ’を貫通孔１６に挿通した状態で、帯Ｗ’の両端部を衣服などの使用対象物Ｍに縫製にて取り付けられて、使用対象物Ｍに配置されている紐Ｗの引出量や締め付け度合いを調整可能となる。
【先行技術文献】
【特許文献】
【０００４】
【特許文献１】特許第３９７３６０４号公報
【発明の概要】
【発明が解決しようとする課題】
【０００５】
上記した紐留め具は、部材数が少なく、衣服や袋体等の使用対象物に配置された紐に対し各通し孔を介して係止され、紐の引出量などを簡単に調整できるため簡易かつ使い勝手に優れているが、次のような点から未だ満足できなかった。
【０００６】
（ア）図６（ａ）などの使用状態において、紐Ｗの引出量を増やして引っ張り度合いを強くする場合、操作者は、一方の手（指）で雌部材１と雄部材２とを付勢力に抗して相対的に接近操作するか、雄部材２を雌部材１側に押圧操作によって紐Ｗに対する抜止め状態を解除して、その状態を維持しながら、他方の手（指）で紐Ｗの引出端側を引っ張って調整する。その後は、雌部材や雌・雄部材から手を離すと、雌・雄部材１，２は付勢力により相対的に離間する方向に動いて紐抜止め状態となる。このため、従来構造では、調整操作では付勢力の大きさに比例した力を必要とし、また例えば、一方の手が荷物を持っていたり他の作業などを行っていると、紐の引き調整を行うことが困難となって不便であり用途の制約要因となる。
【０００７】
（イ）紐留め具は、使用対象物Ｍに対して帯Ｗ’を介して取り付けられた状態で使用されるが、帯Ｗ’で拘束されている箇所が紐留め具下端側（つまり雌部材２の端部に設けられた貫通孔１６に通されている）であるため不安定であり、例えば振動を受けると揺れが大きくなり易い。以上のような不具合は、用途によって紐留め具が大きくなることもあり、そのような場合に問題になり易く品質低下要因となる。
【０００８】
本発明の目的は、以上のような問題を解消して、特に紐の引き量調整時の力を軽減可能にして、かつ使用対象物に対する安定した取付状態を維持できるようにして、それにより信頼性の向上と用途拡大に寄与することにある。
【課題を解決するための手段】
【０００９】
上記した目的を達成するため本発明は、紐用通し孔を有した雌部材と、紐用通し孔を有して前記雌部材に摺動自在に差し込まれる雄部材とを備え、紐が前記雌・雄部材を付勢力に抗して相対的に接近した状態で前記各通し孔に挿通され、かつ、前記雌・雄部材が付勢力により相対的に離間する方向に動くことで紐抜止め状態となる紐留め具において、前記雌部材及び前記雄部材が前記通し孔と共に設けられて帯を通す貫通孔をそれぞれ有しており、前記帯を雌・雄部材の前記各貫通孔に順に挿通してその両端側を引っ張ると（これは図３の使用例）、又は、前記帯を雌・雄部材の前記各貫通孔に順に挿通してその両端側を押さえた状態で前記各通し孔を通った前記紐の引出部を引っ張ると（これは図２の使用例）、前記雌・雄部材が付勢力に抗して接近し紐抜止め状態を解放することを特徴としている。
【００１０】
以上の本発明において、『紐』には、ロープ、コード、帯及びそれら類似にするものを含む。『帯』には、形状的に紐と実質的に同じく、帯以外にロープ、コード及びそれら類似にするものを含む。『通し孔』及び『貫通孔』は、便宜的に区別したが機能的にものを挿通する点で同じであり、通し孔は引き紐を挿通する孔であり、貫通孔は帯を挿通する孔である。
【００１１】
以上の本発明は次のように具体化されることがより好ましい。
（１）前記通し孔は、前記貫通孔同士を結ぶ線上からずれて設けられている構成である（請求項２）。
（２）前記雌・雄部材は両者の間に介在される付勢部材、又は前記雌・雄部材の一方に設けられたばね部により離間する方向に付勢されるとともに、前記貫通孔は前記雌・雄部材のうち、前記付勢部材又は前記ばね部の付勢方向とほぼ同じ線上に設けられている構成である（請求項３）。
（３）前記貫通孔は、前記雌・雄部材が互いに重ねられない外側の端部に設けられている構成である（請求項４）。
（４）前記帯は、前記各貫通孔を通って重ねられる両端部が衣服などの使用対象物に縫製固定される構成である（請求項５）。
【発明の効果】
【００１２】
請求項１の発明は、雌部材及び雄部材が通し孔と共に帯を通す貫通孔をそれぞれ有し、図３のごとく帯を雌・雄部材の各貫通孔に順に挿通してその両端側を引っ張たり、又は、図２のごとく帯を雌・雄部材の各貫通孔に順に挿通してその両端側を押さえた状態で各通し孔を通った紐の引出部を引っ張ると、雌・雄部材が付勢力に抗して接近し紐抜止め状態を解放するため、紐の引き量調整を弱い力で行うことができ片手操作も可能となり、それによって使い勝手を向上できる。また、使用対象物に対し帯を介して取り付けられた場合は、紐留め具の全体つまり雌部材及び雄部材が共通の帯で拘束されるため、取付状態での安定性に優れ、大きな振動を受けても揺れに難くなって品質低下要因を解消できる。
【００１３】
請求項２の発明は、各通し孔が貫通孔同士を結ぶ線上からずれて設けられているため、紐の引き量調整操作において紐が各貫通孔に挿通された帯に干渉して操作性を損なうという虞がなく、それによって使い勝手を維持できる。
【００１４】
請求項３の発明は、各貫通孔が雌・雄部材のうち、付勢部材又はばね部の付勢方向とほぼ同じ線上に設けられているため、紐留め具の全寸を短くし易くなり、それによって設計自由度を拡大できる。
【００１５】
請求項４の発明は、各貫通孔が雌・雄部材が互いに重ねられない側の端部にあるため、図２から推察されるごとく、紐の矢印方向への引き力が雌・雄部材が互いに接近する方向への応力として効率よく伝わり、それによって紐の引き量調整の操作性を向上できる。
【００１６】
請求項５の発明は、帯が各貫通孔を通って重ねられる両端部を使用対象物に縫製固定されるため、従来と同様な縫製作業により、上記した紐の引き量調整の操作性を確実に向上できる。
【図面の簡単な説明】
【００１７】
【図１】本発明形態に係る紐留め具を示し、（ａ）は紐留め具の概略分解斜視図、（ｂ）は紐留め具に帯を組み付けた状態での概略斜視図である。
【図２】上記紐留め具の作動を示し、（ａ）と（ｂ）は帯を押さえ、雌・雄部材の各通し孔に挿通された紐の引出部を引っ張っている状態での斜視図と縦断面図である。
【図３】上記紐留め具の他の作動を示し、（ａ）と（ｂ）は紐の両端を雌・雄部材の各通し孔から引出した使用状態で、各貫通孔に通された帯の両端を引っ張っている状態での斜視図と縦断面図である。
【図４】上記紐留め具の詳細を示し、（ａ）は雄部材の前方より見た端面図、（ｂ）は正面図、（ｃ）は雌部材の後方より見た端面図である。
【図５】図４と同じく紐留め具の詳細を示し、（ａ）は図４の側面図、（ｂ）は図４（ｂ）のＡ−Ａ線断面図、（ｃ）は（ａ）のＢ−Ｂ線断面図である。
【図６】上記形態の変形例を示し、（ａ）は図５（ｂ）と対応した状態での図、（ｂ）は図５（ｃ）と対応した状態での図である。
【図７】特許文献１に開示の紐留め具を示し、（ａ）は紐留め具の使用状態を示し、（ｂ）は紐留め具の断面図である。
【発明を実施するための形態】
【００１８】
以下、本発明の形態を図面を参照しながら説明する。この説明では、構造、作用、図５の変形例の順で詳述する。
【００１９】
（構造）形態の紐留め具４は、互いに嵌合される雌部材１及び雄部材２、並びに雌・雄部材１，２の間に介在される付勢部材３から構成されている。雌部材１及び雄部材２は、何れもが樹脂成形品からなっているが、他の材質でも差し支えない。大きさは任意であり、使用対象物に応じて設定される。なお、図３及び図４において、紐留め具４（雌部材１及び雄部材２）は、正面と背面、及び、右側面と左側面とがそれぞれ対称形となっている。
【００２０】
このうち、雌部材１は、図１及び図５に示されているごとく、全体が矩形偏平状からなり、内部１０が内側端部１ａから外他端部１ｂに向かって凹状の空洞となっている。内部１０は、雄部材２を挿入可能な大きさと形状となっているとともに、一対の弧形の位置決め片部１１が底面中央部に突設されている。位置決め片部１１は、内側に付勢部材３であるコイルばねの一端を位置決めする。
【００２１】
雌部材１には、一対の紐用通し孔１２が内側の端部１ａ側に、帯６を通す貫通孔１３が外側の端面１ｂ側にそれぞれ厚さ方向に貫通形成されている。一対の通し孔１２は、略円形状であり、中心線を挟んで左右対称となっている。貫通孔１３は、略矩形ないしは長円形状であり、中心線上に設けられている。
【００２２】
雄部材２は、全体が雌部材１より一回り小さな矩形偏平状からなり、雌部材の内部１０に内側の端部２ａから摺動自在に差し込まれる。雄部材２には、一対の紐用通し孔２２が端部２ａ側に、帯６を通す貫通孔２３が反対である外側の端面２ｂ側にそれぞれ厚さ方向に貫通形成されている。一対の通し孔２２は、雌部材側の通し孔１２とほぼ同形の円形状で、中心線を挟んで左右対称となっている。貫通孔２３は、雌部材側の貫通孔１３とほぼ同形の略矩形ないしは長円形状であり、中心線上に設けられている。
【００２３】
雄部材２には、中心線上にあって、端部２ａ側から端部２ｂに向かって切り欠かれた凹部２０と、凹部２０の内低面に突出された軸状の突起２１とが設けられている。凹部２０は、付勢部材３であるコイルばねの他端を突起２１を介して位置決めする。雄部材２の表裏面には、各通し孔２２の孔縁部にあって、爪部２４が端部２ａ側に突設されている。
【００２４】
各爪部２４は、図５（ｃ）から推察されるごとく雄部材２が雌部材の内部１０に差し込まれるときに、弾性変位を伴って雌部材１の対応する通し孔１２内に嵌合する。これにより、雄部材２は、雌部材１に摺動自在に組み付けられた状態で、各爪部２４が対応する通し孔１２の孔縁に当接することによって雌部材１から外れなくなる。また、組立操作時には、雄部材２を雌部材の内部１０に挿入する際、付勢部材３であるコイルばねが一端を雌部材側の位置決め片部１１に位置決めされ、他端を雄部材側の突起２１に位置決めされることになる。
【００２５】
（作用）完成された紐留め具４は、図２や３に示されるごとく雌部材１と雄部材２とが付勢部材３の付勢力により相対的に離間されている。紐留め具４には帯６が各貫通孔１３，２３を利用してループ状に取り付けられる。すなわち、帯６は、図２のごとくその一端部６ａが雌部材１の背面より正面に向かって貫通孔１３に通された後、雄部材２の正面より背面に向かって貫通孔２３に通される。又は、帯６は、図３のごとくその一端部６ａが雌部材１の正面より背面に向かって貫通孔１３に通された後、雄部材２の背面より正面に向かって貫通孔２３に通される。そして、紐留め具４は、帯の両端部６ａを紐留め具４の背面側で引っ張って重合すると、図１（ｂ）の帯組み付け状態となる。
【００２６】
ところで、紐留め具４は、市販する態様として、帯６を取り付けた状態で提供する態様と、取付前の帯６とをセットにして提供する態様と、帯なしの状態で提供し購入者が帯６を用意して取り付ける態様との何れかである。貫通孔１３，２３及び帯６の形状は、任意であるが、通常は紐留め具４を使う使用対象物７に応じて設計される。紐留め具４は、図２のごとく必要に応じて帯６を介して使用対象物７に取り付けられる。その取付方法は、技術的に制約されないが、衣服や袋体などの使用対象物７だと、図２（ｂ）に模式的に示したように縫製により固定することが見栄えや柔軟性などから好ましい。なお、同図の符号８は縫製部を示している。
【００２７】
使用対象物７に帯６を介して取り付けられた紐留め具４には、使用対象物７に配置されている紐５や５Ａが図２（ａ）又は図３（ａ）に示したごとくその引出部５ａや締め付け度合いを調整可能となるよう組み込まれる。すなわち、紐５や５Ａを組み込む場合は、雌部材１と雄部材２とを付勢部材３の付勢力に抗して相対的に接近したり、雌・雄部材１，２の一方を他方側に付勢部材３の付勢力に抗して押すことにより、両者の通し孔１２と通し孔２２とが重なるようにする。その状態で、図２の場合は、紐５を紐留め具４の背面より正面に向けて一方側の通し孔１２,２２に挿通した後、正面より背面に向けて他方側の通し孔１２，２２に挿通する。図３の場合は、紐５Ａの引出部５ａとなる両端を紐留め具４の背面より正面に向けて共に両側の通し孔１２,２２に挿通する。挿通した後は、雌・雄部材１，２に対する押し力、又は、雌・雄部材１，２のうち一方部材に対する他方部材の押し力を開放する。すると、紐５や５Ａは、雌・雄部材１，２が付勢部材３の付勢力により相対的に離間する方向に動いて、通し孔１２,２２同士がずれることで紐対応部が両孔内に挟持されて紐抜止め状態となる。
【００２８】
次に、以上の紐留め具４の場合は、次のような要領にて紐５の引出量や締め付け度合いを調整する。すなわち、図２の使用例だと、操作者は、片手で各通し孔１２，２２を通った紐５の引出部５ａを図２（ａ）の矢印方向へ引っ張ると、同（ｂ）のごとく紐留め具４が前記した帯６により使用対象物７の定位置に固定されているため、紐５の引出部５ａの引き力が帯６を介して雌・雄部材１，２が同（ｂ）の矢印方向への応力、つまり両部材１，２が互いに接近する方向への応力となり、雌・雄部材１，２が付勢部材３の付勢力に抗して接近する結果、各通し孔１２，２２が重なる部分を増やして紐抜け止め状態を解放する。
【００２９】
従って、この構造では、帯の両端部６ａを衣服などの使用対象物７に取り付けた使用状態において、紐５の引き量調整を片手操作により行うことができ、それにより従来構造に比べて使い勝手を向上できる。加えて、使用対象物７に対し帯８を介して取り付けられた状態において、紐留め具４の全体つまり雌部材１及び雄部材２が共通の帯６で拘束されるため、取付状態での斬新性と安定性に優れ、大きな振動を受けても揺れに難くなり、従来構造に比べて品質低下要因を解消できる。
【００３０】
これに対し、図３の使用例だと、操作者は、片手で帯６の両端部６ａを矢印方向へ引っ張ると、同（ｂ）のごとく紐留め具４を構成している雌・雄部材１，２が付勢部材３の付勢力に抗して接近する結果、各通し孔１２，２２が重なる部分を増やして紐抜け止め状態を解放する。従って、この使用例でも、紐５Ａの引き量調整を行うときは従来よりも弱い力で行うことができ、使い勝手を向上できる。
【００３１】
加えて、以上の構造では、雌部材の通し孔１２と雄部材２の通し孔２２とが貫通孔１３，２３同士を結ぶ線上から両側にずれるよう設けられているため、紐５や５Ａの引き量調整操作において紐が各貫通孔１３，２３に挿通された帯６に干渉して操作性を損なったり、外観を悪くするという虞がなく、それによって使い勝手を維持でき、かつ斬新性を付与できる。同時に、各貫通孔１３，２３が雌・雄部材１，２のうち、付勢部材３の付勢方向とほぼ同じ線上に設けられているため、紐留め具の全寸を短くし易くなり、それによって設計自由度を拡大できる。しかも、各貫通孔１３，２３が雌・雄部材１，２が互いに重ねられない外側の端部１ｂ，２ｂの近くにあるため、図２の使用態様では紐の引出部５ａの矢印方向への引き力が帯６を介して雌・雄部材１，２が互いに接近する方向への応力として効率よく伝わり、図３の使用態様では帯６に対する引き力が雌・雄部材１，２が互いに接近する方向への応力として効率よく伝わる結果、紐の引き量調整の操作をより弱い力で行える。
【００３２】
（変形例）図６の変形例は上記付勢部材３に代えて、ばね部２５を雄部材２に一体に形成した一例である。この説明では、上記形態と同一部位に同じ符号を付し、変更した構成についてだけ述べる。すなわち、図６の雄部材２は、凹部２０の内底面より下向きに略波形のばね部２５を形成している。このため、この変形例では、部材数を減らしてコスト低減が図られる。なお、以上のようなばね部は、雌部材１側に形成することも可能である。このように、本発明の紐留め具は、請求項１で特定される構成を備えておればよく、細部はこの形態及び変形例を参考にして更に変更したり展開可能なものである。
【符号の説明】
【００３３】
１…雌部材（１０は内部、１１は位置決め片部、１２は通し孔、１３は貫通孔）
２…雄部材（２０は凹部、２１は突起、２２は通し孔、２３は貫通孔、２４は爪部）
３…付勢部材
４…紐留め具
５，５Ａ…紐（５ａは引出部）
６…帯（６ａは端部）
７…使用対象物
８…縫製部
２５…ばね部
【図１】
2012070819.tif 000003
【図２】
2012070819.tif 000004
【図３】
2012070819.tif 000005
【図４】
2012070819.tif 000006
【図５】
2012070819.tif 000007
【図６】
2012070819.tif 000008
【図７】
2012070819.tif 000009